(57)【要約】【課題】メッシュ容器を設けることなく、空気の湿度を調整する。【解決手段】冷媒回路には、第１及び第２熱交換器、圧縮機、四方切換弁、及び膨張機構としての膨張弁が設けられている。第１及び第２熱交換器は、長方形板状に形成されたアルミニウム製の多数のフィン（１３）と、このフィン（１３）を貫通する銅製の伝熱管とを備えている。フィン（１３）及び伝熱管の外表面には厚さ１〜５０μｍの金属酸化物層が被覆されている。フィン（１３）及び伝熱管の金属酸化物層上には厚さ０．５〜２０μｍのプライマー層（１６）、及び厚さ１０〜１００μｍの吸着剤担持層（１８）が順に積層されている。【選択図】    図６
2004271068.tif 000002
【特許請求の範囲】
【請求項１】
伝熱管（１５）及びフィン（１３）を有し、上記伝熱管（１５）及びフィン（１３）の少なくとも一方の外表面に酸化物層が被覆された熱交換器（３，５）と、
上記酸化物層上に形成されたプライマー層（１６）と、
該プライマー層（１６）上に形成され、吸着剤（１８ａ）と該吸着剤を担持する吸着剤バインダーとを有する吸着剤担持層（１８）と、
を備えている調湿装置。
【請求項２】
酸化物層は多孔質である請求項１記載の調湿装置。
【請求項３】
プライマー層（１６）は多孔質である請求項１又は２記載の調湿装置。
【請求項４】
プライマー層（１６）は、微粒子と該微粒子を担持する微粒子バインダーとを有している請求項１〜３のいずれか１つに記載の調湿装置。
【請求項５】
微粒子は微粒アルミナによって構成され、
微粒子バインダーはリチウムシリケートによって構成されている請求項４記載の調湿装置。
【請求項６】
吸着剤担持層（１８）は多孔質である請求項１〜５のいずれか１つに記載の調湿装置。
【発明の詳細な説明】
【０００１】
【発明の属する技術分野】
本発明は、調湿装置に関する。
【０００２】
【従来の技術】
従来より、吸着剤を用いて空気の湿度の調整を行う調湿装置が知られている（例えば、特許文献１）。
【０００３】
この調湿装置は、室外空気あるいは室内空気を流通させる空気通路を有している。空気通路内には、冷媒を循環させて蒸気圧縮式の冷凍サイクルを行う冷媒回路の配管の一部が設置されている。空気通路内に設置された配管は、蒸発器又は凝縮器として機能する。空気通路内に設置された配管の周囲には、吸着剤が封入された網目状部材からなるメッシュ容器が設けられている。
【０００４】
そして、メッシュ容器内の吸着剤は、配管が蒸発器として機能するときに、配管を流れる冷媒によって冷却されることにより、網目状部材を介して室内空気あるいは室外空気の水分の吸着を行う。また、吸着剤に吸着された水分は、配管が凝縮器として機能するときに、配管を流れる冷媒によって加熱されることにより脱離する。それにより、吸着剤は再生される。
【０００５】
【特許文献１】
特開平８−１８９６６７号公報
【０００６】
【発明が解決しようとする課題】
しかしながら、上述の調湿装置では、別途にメッシュ容器を設けなければならなかったため、調湿装置の構造の複雑化をもたらしていた。また、上述の調湿装置では、吸着剤をフィンに単に接触させているだけであるため、接触熱抵抗が大きくなり、冷却効果及び加熱効果が期待できない。
【０００７】
本発明は、かかる点に鑑みてなされたものであり、その目的とするところは、メッシュ容器を設けることなく、空気の湿度を調整する調湿装置を提供することにある。
【０００８】
【課題を解決するための手段】
請求項１の発明は、伝熱管及びフィンを有し、上記伝熱管及びフィンの少なくとも一方の外表面に酸化物層が被覆された熱交換器と、上記酸化物層上に形成されたプライマー層と、該プライマー層上に形成され、吸着剤と該吸着剤を担持する吸着剤バインダーとを有する吸着剤担持層とを備えている調湿装置である。
【０００９】
これにより、伝熱管及びフィンの外表面の少なくとも一方に吸着剤担持層が形成されているため、吸着剤担持層中の吸着剤で空気中の水分を吸着することができる。したがって、本発明によれば、メッシュ容器を設けることなく、空気の除湿を行うことができ、調湿装置の構造の単純化及びコンパクト化を図ることができる。
【００１０】
また、伝熱管及びフィンの外表面の少なくとも一方に吸着剤担持層が形成されているため、吸着剤を伝熱管及びフィンに単に接触させているだけではない。したがって、本発明によれば、接触熱抵抗が小さくなり、省エネ運転が可能になる。
【００１１】
請求項２の発明は更に、酸化物層が多孔質であるものである。
【００１２】
これにより、酸化物層の表面が多孔質であるため、酸化物層の表面積を増大させることができる。したがって、本発明によれば、伝熱管及びフィンの表面積を増大させることができる。
【００１３】
また、浸漬コーティングによりプライマー層を形成する場合、酸化物層の表面が多孔質であるため、プライマー層を形成するときに用いられるプライマー溶液の酸化物層に対する濡れ性を向上させることができる。
【００１４】
請求項３の発明は更に、プライマー層の表面が多孔質であるものである。
【００１５】
これにより、プライマー層が多孔質であるため、プライマー層の表面積を増大させることができる。
【００１６】
また、浸漬コーティングにより吸着剤担持層を形成する場合、プライマー層の表面が多孔質であるため、吸着剤担持層を形成するときに用いられる吸着剤分散溶液のプライマー層に対する濡れ性を向上させることができる。
【００１７】
請求項４の発明は更に、プライマー層が、微粒子と該微粒子を担持する微粒子バインダーとを有しているものである。
【００１８】
これにより、プライマー層に微粒子が含まれているため、プライマー層の表面の多孔質化を実現することができるとともに、プライマー層の表面を多孔質の状態に保つことができる。したがって、本発明によれば、プライマー層の表面積を増大させることができる。
【００１９】
請求項５の発明は更に、微粒子が微粒アルミナによって構成され、微粒子バインダーがリチウムシリケートによって構成されているものである。
【００２０】
本発明によれば、微粒子が微粒アルミナによって構成されるとともに、微粒子バインダーがリチウムシリケートによって構成されているため、質の高いプライマー層を提供することができる。
【００２１】
請求項６の発明は更に、吸着剤担持層が多孔質であるものである。
【００２２】
これにより、吸着剤担持層の表面が多孔質であるため、吸着剤担持層の表面積を増大させることができる。したがって、本発明によれば、吸着面積を増大させることができる。
【００２３】
【発明の実施の形態】
以下、本発明の実施形態を図面に基づいて詳細に説明する。
【００２４】
本発明の実施形態に係る調湿装置は、図８〜図１０に示すように、中空直方体状（箱状）のケーシング（１７）を備えている。ケーシング（１７）内には、冷媒回路（１）（図１参照）等が設けられている。ケーシング（１７）及びケーシング（１７）内の構造は、後に詳細に説明する。
【００２５】
図１に示すように、冷媒回路（１）には、第１熱交換器（３）、第２熱交換器（５）、圧縮機（７）、流れ切換装置としての四方切換弁（９）、及び膨張機構としての膨張弁（１１）が設けられている。
【００２６】
冷媒回路（１）は、冷媒が充填され、該冷媒を循環させて蒸気圧縮式の冷凍サイクルを行うように構成されている。
【００２７】
第１熱交換器（３）の一端（左端）は、四方切換弁（９）の第３のポートに接続されている。第１熱交換器（３）の他端（右端）は、膨張弁（１１）を介して第２熱交換器（５）の一端（右端）に接続されている。第２熱交換器（５）の他端（左端）は、四方切換弁（９）の第４のポートに接続されている。
【００２８】
図２に示すように、第１及び第２熱交換器（３，５）は、それぞれクロスフィン式のフィン・アンド・チューブ型熱交換器により構成されている。具体的には、第１及び第２熱交換器（３，５）は、長方形板状に形成されたアルミニウム製の多数のフィン（１３）と、このフィン（１３）を貫通する銅製の伝熱管（１５）とを備えている。フィン（１３）の厚さは約１００μｍである。
【００２９】
各フィン（１３）及び伝熱管（１５）の外表面には、吸着剤が担持されている。
【００３０】
ここで、図３〜図６を参照にしながらフィン（１３）及び伝熱管（１５）の外表面付近の構造を説明する。
【００３１】
フィン（１３）及び伝熱管（１５）の外表面には厚さ１〜５０μｍの金属酸化物層（図示せず）が被覆されている。フィン（１３）及び伝熱管（１５）の金属酸化物層上には厚さ０．５〜２０μｍのプライマー層（１６）、及び厚さ１０〜１００μｍの吸着剤担持層（１８）が順に積層されている。
【００３２】
上記金属酸化物層の表面は多孔質であり、つまり、金属酸化物層は多孔質である。
【００３３】
上記プライマー層（１６）は、吸着剤担持層（１８）のフィン（１３）及び伝熱管（１５）の外表面に対する接着性を向上させるものである。プライマー層（１６）の表面は多孔質で、つまり、プライマー層（１６）は多孔質である。プライマー層（１６）の厚さは薄ければ薄いほどよい。プライマー層（１６）は微粒子としての微粒アルミナ及びバインダーとしてのリチウムシリケートを含んでいる。微粒アルミナの粒径は、リチウムシリケート中のシリカ（アモルファスシリカ）の粒径より大きい。本実施形態においては、微粒アルミナの粒径は約４μｍであり、リチウムシリケート中のシリカの粒径は約１μｍ以下である。
【００３４】
なお、プライマー層（１６）が微粒アルミナ及びリチウムシリケートによって構成されているのは、後述するプライマー溶液のスクリーニング評価の結果に基づくものである。
【００３５】
吸着剤担持層（１８）の表面は多孔質で、つまり、吸着剤担持層（１８）は多孔質である。吸着剤担持層（１８）は吸着剤としてのゼオライト（１８ａ）と、バインダーとしてのコロイダルシリカとを含んでいる。
【００３６】
ゼオライト（１８ａ）の粒径は、コロイダルシリカ中のシリカの粒径より大きい。本実施形態においては、ゼオライト（１８ａ）の粒径は約５μｍであり、コロイダルシリカ中のシリカの粒径は約０．１〜０．２μｍである。ゼオライト（１８ａ）の粒径は、微粒アルミナの粒径より大きい。ゼオライト（１８ａ）の粒径は小さければ小さいほどよい。
【００３７】
ここで、フィン（１３）及び伝熱管（１５）の外表面に吸着剤を担持させるときの工程を説明する。
【００３８】
（表面処理）
まず、組み立てられた第１及び第２熱交換器（３，５）を高温で加熱する（図３参照）。本実施形態では、第１及び第２熱交換器（３，５）を３００℃で数時間加熱する。これにより、図４に示すように、フィン（１３）及び伝熱管（１５）の外表面に付着した油脂等の有機物（１３ａ）が除去されるとともに、フィン（１３）及び伝熱管（１５）の外表面に、表面が多孔質の金属酸化物層が被覆される。以上により、後述するプライマー溶液のフィン（１３）及び伝熱管（１５）の外表面に対する濡れ性が向上するとともに、フィン（１３）及び伝熱管（１５）の表面積を増大させることができる。
【００３９】
なお、本実施形態では、組み立てられた第１及び第２熱交換器（３，５）を高温で加熱することにより表面処理を行っているが、第１及び第２熱交換器（３，５）に組み立てる前のフィン（１３）及び伝熱管（１５）を高温で加熱することにより表面処理を行ってもよい。ただし、組み立てられた第１及び第２熱交換器（３，５）を高温で加熱する方が、本発明に係る調湿装置の生産性の観点から好ましい。
【００４０】
また、第１及び第２熱交換器（３，５）を加熱する温度は、５００℃以下であることが好ましい。また、第１及び第２熱交換器（３，５）を加熱する温度が高ければ高いほど、表面処理に要する時間を短縮することができる。
【００４１】
（プライマー処理）
次に、リチウムシリケート水溶液に微粒アルミナを分散（混合）させることによりプライマー溶液を作る。微粒アルミナのプライマー溶液に対する混合割合は５〜５０ｗｔ％である。
【００４２】
そして、プライマー溶液に金属酸化物層が被覆された第１及び第２熱交換器（３，５）を浸漬する。それから、第１及び第２熱交換器（３，５）をプライマー溶液から引きあげて乾燥させる。これにより、金属酸化物層上にプライマー層（１６）が形成される（図５参照）。
【００４３】
ここで、リチウムシリケート水溶液には微粒アルミナが分散しているため、形成されたプライマー層（１６）にも微粒アルミナが分散される。それにより、プライマー層（１６）の表面を多孔質化させるとともに、プライマー層（１６）の表面を多孔質の状態に保つことができる。
【００４４】
また、リチウムシリケート水溶液には微粒アルミナが分散しているため、プライマー溶液に第１及び第２熱交換器（３，５）を浸漬した際、プライマー溶液をかき混ぜると、フィン（１３）及び伝熱管（１５）の外表面が微粒アルミナにより研磨される。それにより、プライマー層（１６）のフィン（１３）及び伝熱管（１５）の外表面に対する接着性が向上する。
【００４５】
なお、金属酸化物層上にプライマー層（１６）を均一に薄膜化させるために、第１及び第２熱交換器（３，５）をプライマー溶液から引きあげた後に、エアブロー処理を行ってもよい。プライマー溶液に粒径の大きい微粒アルミナが含まれている場合には、エアブロー処理を行うことにより、それらを吹き飛ばして除去することができる。
【００４６】
（担持処理）
次に、コロイダルシリカ水溶液にゼオライト（１８ａ）を分散（混合）させることにより吸着剤分散溶液を作る。ゼオライト（１８ａ）の吸着剤分散溶液に対する混合割合は１０〜５０ｗｔ％である。
【００４７】
そして、吸着剤分散溶液にプライマー層（１６）が形成された第１及び第２熱交換器（３，５）を浸漬する。
【００４８】
その後、第１及び第２熱交換器（３，５）を吸着剤分散溶液から引きあげて乾燥させる。これにより、プライマー層（１６）上に吸着剤担持層（１８）が形成される（図６参照）。
【００４９】
（プライマー溶液のスクリーニング評価）
図７は、プライマー溶液のスクリーニング評価の結果を示したものである。
【００５０】
このスクリーニング評価では、図７の「品名」の欄に記載されたそれぞれのプライマー溶液の濡れ性、塗膜生成の容易性、及び薄膜化の容易性、それぞれのプライマー溶液を用いて形成された各プライマー層（１６）の引掻き剥離の困難性、折曲げ剥離の困難性、及び耐熱性、並びにプライマー溶液の安定性に関する評価を行った。さらに、各プライマー溶液の濡れ性等の各評価に基づいて、それぞれのプライマー溶液の総合評価を行った。
【００５１】
図７において、「◎」はその評価が最も高いことを示し、「◎」「○」「△」「×」の順にその評価は低くなっていく。
【００５２】
図７から明らかなように、リチウムシリケート水溶液に微粒アルミナを分散させたプライマー溶液を用いたときの評価が最も高い。
【００５３】
一方、次に、上記冷媒回路（１）について説明する。上記四路切換弁（９）は、第１のポートと第３のポートとが連通すると同時に第２のポートと第４のポートが連通する状態（図１（ａ）に示す状態）と、第１のポートと第４のポートとが連通すると同時に第２のポートと第３のポートとが連通する状態（図１（ｂ）に示す状態）とに切り換え自在に構成されている。そして、この四路切換弁（９）を切り換えることにより、第１熱交換器（３）が凝縮器として機能すると同時に第２熱交換器（５）が蒸発器として機能する第１動作と、第２熱交換器（５）が凝縮器として機能すると同時に第１熱交換器（３）が蒸発器として機能する第２動作との切り換えが行われる。
【００５４】
次に、図８〜図１０に基づいて、ケーシング（１７）の内部構造について説明する。尚、上記ケーシング（１７）は、図８において、下端をケーシング（１７）の正面とし、上端をケーシング（１７）の背面とし、左端をケーシング（１７）の左側面とし、右端をケーシング（１７）の右側面とする。また、上記ケーシング（１７）は、図９及び図１０において、上端がケーシング（１７）の上面であり、下端がケーシング（１７）の下面である。
【００５５】
先ず、上記ケーシング（１７）は、平面視正方形で、扁平な箱形に形成されている。上記ケーシング（１７）の左側面板（１７ａ）には、室外空気ＯＡを取り入れる第１吸込口（１９）と、リターン空気である室内空気ＲＡを取り入れる第２吸込口（２１）とが形成されている。一方、上記ケーシング（１７）の右側面板（１７ｂ）には、排出空気ＥＡを室外に排出する第１吹出口（２３）と、調湿空気ＳＡを室内に供給する第２吹出口（２５）とが形成されている。
【００５６】
上記ケーシング（１７）の内部には、仕切部材である仕切板（２７）が設けられ、該仕切板（２７）によって上記ケーシング（１７）の内部には、空気室（２９ａ）と機器室（２９ｂ）とが形成されている。上記仕切板（２７）は、ケーシング（１７）の厚さ方向である垂直方向に設けられ、図９及び図１０において、上端であるケーシング（１７）の上面板（１７ｅ）から下端であるケーシング（１７）の下面板（１７ｆ）に亘って設けられている。更に、上記仕切板（２７）は、図８において、下端であるケーシング（１７）の正面板（１７ｃ）から上端であるケーシング（１７）の背面板（１７ｄ）に亘って設けられている。また、上記仕切板（２７）は、図８において、ケーシング（１７）の中央部よりやや右側に配置されている。
【００５７】
上記機器室（２９ｂ）には、冷媒回路（１）における熱交換器（３，５）を除く圧縮機（７）などが配置される共に、第１ファン（７９）と第２ファン（７７）とが収納されている。そして、上記第１ファン（７９）は、第１吹出口（２３）に接続され、第２ファン（７７）は、第２吹出口（２５）に接続されている。
【００５８】
上記ケーシング（１７）の空気室（２９ａ）には、仕切部材である第１端面板（３３）と仕切部材である第２端面板（３１）と仕切部材である中央の区画板（６７）とが設けられている。上記第１端面板（３３）と第２端面板（３１）と区画板（６７）とは、ケーシング（１７）の厚さ方向である垂直方向に設けられ、図９及び図１０に示すように、ケーシング（１７）の上面板（１７ｅ）から下面板（１７ｆ）に亘って設けられている。
【００５９】
上記第１端面板（３３）と第２端面板（３１）とは、図８に示すように、ケーシング（１７）の左側面板（１７ａ）から仕切板（２７）に亘って設けられている。また、上記第１端面板（３３）は、図８において、ケーシング（１７）の中央部よりやや上側に配置され、上記第２端面板（３１）は、図８において、ケーシング（１７）の中央部よりやや下側に配置されている。
【００６０】
上記区画板（６７）は、図８に示すように、第１端面板（３３）と第２端面板（３１）とに亘って設けられている。
【００６１】
そして、上記ケーシング（１７）の内部には、第１端面板（３３）と第２端面板（３１）と区画板（６７）と仕切板（２７）とによって第１熱交換室（６９）が区画形成されている。また、上記ケーシング（１７）の内部には、第１端面板（３３）と第２端面板（３１）と区画板（６７）とケーシング（１７）の左側面板（１７ａ）とによって第２熱交換室（７３）が区画形成されている。つまり、上記第１熱交換室（６９）は、図８において右側に位置し、上記第２熱交換室（７３）は、図８において左側に位置し、上記第１熱交換室（６９）と第２熱交換室（７３）とは、隣接して並行に形成されている。
【００６２】
また、上記第１熱交換室（６９）には、第１熱交換器（３）が配置され、上記第２熱交換室（７３）には、第２熱交換器（５）が配置されている。
【００６３】
上記第１端面板（３３）とケーシング（１７）の背面板（１７ｄ）との間には、仕切部材である水平板（６１）が設けられて第１流入路（６３）と第１流出路（６５）とが形成されている。また、上記第２端面板（３１）とケーシング（１７）の正面板（１７ｃ）との間には、仕切部材である水平板（５５）が設けられて第２流入路（５７）と第２流出路（５９）とが形成されている。
【００６４】
上記水平板（６１，５５）は、ケーシング（１７）の内部空間をケーシング（１７）の厚さ方向である垂直方向に上下に仕切っている。そして、図９において、第１流入路（６３）が上面側に、第１流出路（６５）が下面側に形成され、図１０において、第２流入路（５７）が上面側に、第２流出路（５９）が下面側に形成されている。
【００６５】
つまり、上記第１流入路（６３）と第１流出路（６５）とは、第１熱交換室（６９）及び第２熱交換室（７３）の各一面が連続する厚さ方向の一端面に沿って形成され、且つ第１熱交換室（６９）及び第２熱交換室（７３）の厚さ方向に重畳して配置されている。
【００６６】
また、上記第２流入路（５７）と第２流出路（５９）とは、第１熱交換室（６９）及び第２熱交換室（７３）の各一面が連続する端面で上記一端面に対向する対向面に沿って形成され、且つ第１熱交換室（６９）及び第２熱交換室（７３）の厚さ方向に重畳して配置されている。
【００６７】
そして、上記第１流入路（６３）及び第１流出路（６５）と第２流入路（５７）及び第２流出路（５９）とは、図８において、対称に配置され、つまり、第１熱交換室（６９）及び第２熱交換室（７３）を横断する中央線を基準として面対称に配置されている。
【００６８】
更に、上記第１流入路（６３）は、第１吸込口（１９）に連通し、上記第１流出路（６５）は、第１ファン（７９）に連通して第１吹出口（２３）に連通している。また、上記第２流入路（５７）は、第２吸込口（２１）に連通し、上記第２流出路（５９）は、第２ファン（７７）に連通して第２吹出口（２５）に連通している。
【００６９】
上記第１端面板（３３）には、図９に示すように、４つの開口（３３ａ〜３３ｄ）が形成されて、各開口（３３ａ〜３３ｄ）には、第１ダンパ（４７）、第２ダンパ（４９）、第３ダンパ（５１）及び第４ダンパ（５３）が設けられている。上記４つの開口（３３ａ〜３３ｄ）は、行列方向に近接して位置し、つまり、上下左右に２つずつ升目状に配置され、第１の開口（３３ａ）と第３の開口（３３ｃ）とが第１熱交換室（６９）に開口し、第２の開口（３３ｂ）と第４の開口（３３ｄ）とが第２熱交換室（７３）に開口している。
【００７０】
上記第１の開口（３３ａ）は、第１流入路（６３）と第１熱交換室（６９）とを連通させ、上記第３の開口（３３ｃ）は、第１流出路（６５）と第１熱交換室（６９）とを連通させている。また、上記第２の開口（３３ｂ）は、第１流入路（６３）と第２熱交換室（７３）とを連通させ、上記第４の開口（３３ｄ）は、第１流出路（６５）と第２熱交換室（７３）とを連通させている。
【００７１】
上記第２端面板（３１）には、図１０に示すように、４つの開口（３１ａ〜３１ｄ）が形成されて、各開口（３１ａ〜３１ｄ）には、第５ダンパ（３５）、第６ダンパ（３７）、第７ダンパ（３９）及び第８ダンパ（４１）が設けられている。上記４つの開口（３１ａ〜３１ｄ）は、行列方向に近接して位置し、つまり、上下左右に２つずつ升目状に配置され、第５の開口（３１ａ）と第７の開口（３１ｃ）とが第１熱交換室（６９）に開口し、第６の開口（３１ｂ）と第８の開口（３１ｄ）とが第２熱交換室（７３）に開口している。
【００７２】
上記第５の開口（３１ａ）は、第２流入路（５７）と第１熱交換室（６９）とを連通させ、上記第７の開口（３１ｃ）は、第２流出路（５９）と第１熱交換室（６９）とを連通させている。また、上記第６の開口（３１ｂ）は、第２流入路（５７）と第２熱交換室（７３）とを連通させ、上記第８の開口（３１ｄ）は、第２流出路（５９）と第２熱交換室（７３）とを連通させている。
【００７３】
上記第１〜第８ダンパ（４７〜５３，３５〜４１）は、開口（３３ａ〜３３ｄ，３１ａ〜３１ｄ）を開閉する開閉手段を構成している。そこで、第５〜第８ダンパ（３５〜４１）に基づいて説明する。上記第５〜第８ダンパ（３５〜４１）は、図１１及び図１２に示すように、長方形状の羽根部（４３）と、羽根部（４３）の中央部に設けられた軸部（４５）とを有している。上記軸部（４５）は、羽根部（４３）を第１端面板（３３）又は第２端面板（３１）に回転自在に支持している。そして、上記第５〜第８ダンパ（３５〜４１）は、図１２に示すように、羽根部（４３）が水平状態になることにより、開口（３１ａ〜３１ｄ）を開状態とするように構成されている。他の第１〜第４ダンパ（４７〜５３）も同一構造に構成されている。
【００７４】
尚、上記各ダンパ（３５〜４１）は、図１１及び図１２に示す構造に限られるものではない。つまり、上記各ダンパ（４７〜５３，３５〜４１）は、図１３及び図１４に示す構造又は図１５及び図１６に示す構造であってもよい。
【００７５】
図１３及び図１４に示す第５〜第８ダンパ（３５〜４１）は、２枚の羽根部（４３）を備えている。そして、上記第５〜第８ダンパ（３５〜４１）は、２枚の羽根部（４３）が上方と下方とに別個に回動し、開口（３１ａ〜３１ｄ）を開状態とするように構成されている。
【００７６】
また、図１５及び図１６に示す第５〜第８ダンパ（３５〜４１）は、２枚の羽根部（４３）を備えている。そして、上記第５〜第８ダンパ（３５〜４１）は、２枚の羽根部（４３）を上部に折り畳み、開口（３１ａ〜３１ｄ）を開状態とするように構成されている。
【００７７】
また、上記調湿装置は、除湿手段（８０）と加湿手段（８１）とが設けられている。そして、上記除湿手段（８０）と加湿手段（８１）とは切り換え可能に構成され、除湿運転と加湿運転とが切り換わるように構成されている。
【００７８】
上記除湿手段（８０）は、冷媒が蒸発する第１熱交換器（３）又は第２熱交換器（５）を流れる空気の水分を吸着剤で吸着し、冷媒が凝縮する第２熱交換器（５）又は第１熱交換器（３）を流れる空気に水分を放出させて吸着剤を再生し、上記吸着剤で除湿された空気を室内に供給するように冷媒回路（１）の冷媒循環及びダンパ（４７〜５３，３５〜４１）による空気流通を切り換える。
【００７９】
一方、上記加湿手段（８１）は、冷媒が蒸発する第１熱交換器（３）又は第２熱交換器（５）を流れる空気の水分を吸着剤で吸着し、冷媒が凝縮する第２熱交換器（５）又は第１熱交換器（３）を流れる空気に水分を放出させて吸着剤を再生し、上記吸着剤で加湿された空気を室内に供給するように冷媒回路（１）の冷媒循環及びダンパ（４７〜５３，３５〜４１）による空気流通を切り換える。
【００８０】
〈運転動作〉
次に、上述した調湿装置の運転動作について説明する。該調湿装置は、第１空気と第２空気とを取り込み、除湿運転と加湿運転とを切り換えて行う。また、上記調湿装置は、第１動作と第２動作とを交互に繰り返すことにより、除湿運転及び加湿運転を連続的に行う。また、上記調湿装置は、全換気モードの除湿運転及び加湿運転と、循環モードの除湿運転及び加湿運転とを行う。
【００８１】
−全換気モードの除湿運転−
上記除湿手段（８０）による全換気モードの除湿運転は、室外空気ＯＡを第１空気として取り込み室内に供給する一方、室内空気ＲＡを第２空気として取り込み室外に排出する運転である。
【００８２】
《第１動作》
第１ファン（７９）及び第２ファン（７７）を駆動した第１動作では、第２熱交換器（５）での吸着動作と、第１熱交換器（３）での再生（脱離）動作とが行われる。つまり、第１動作では、第２熱交換器（５）に室外空気ＯＡ中の水分が吸着され、第１熱交換器（３）から脱離した水分が室内空気ＲＡに付与される。
【００８３】
図１（ａ）及び図１７に示すように、第１動作時には、第２ダンパ（４９）と第３ダンパ（５１）と第８ダンパ（４１）と第５ダンパ（３５）とが開き、第１ダンパ（４７）と第４ダンパ（５３）と第６ダンパ（３７）と第７ダンパ（３９）とが閉じる。そして、第１熱交換器（３）に室内空気ＲＡを供給し、第２熱交換器（５）に室外空気ＯＡを供給する。
【００８４】
また、四路切換弁（９）は、図１（ａ）に示す状態に切り換えられる。その結果、冷媒回路（１）の第１熱交換器（３）が凝縮器として機能し、第２熱交換器（５）が蒸発器として機能する。
【００８５】
つまり、圧縮機（７）から吐出された高温高圧の冷媒は、加熱用の熱媒体として第１熱交換器（３）に流れる。この第１熱交換器（３）において、冷媒によってフィン（１３）及び伝熱管（１５）の外表面に担持された吸着剤が加熱される。この加熱によって吸着剤から水分が脱離して吸着剤が再生される。
【００８６】
一方、上記第１熱交換器（３）で凝縮した冷媒は、膨張弁（１１）で減圧される。減圧後の冷媒は、冷却用の熱媒体として第２熱交換器（５）に流れる。この第２熱交換器（５）において、フィン（１３）及び伝熱管（１５）の外表面に担持された吸着剤が水分を吸着する際に吸着熱が発生する。第２熱交換器（５）の冷媒は、この吸着熱を吸熱して蒸発する。蒸発した冷媒は、圧縮機（７）に戻り、冷媒はこの循環を繰り返す。
【００８７】
また、第１ファン（７９）及び第２ファン（７７）の駆動により、第２吸込口（２１）より流入した室内空気ＲＡは、第２流入路（５７）を流れ、第５の開口（３１ａ）から第１熱交換室（６９）に流れる。この第１熱交換室（６９）において、室内空気ＲＡは、第１熱交換器（３）の吸着剤より脱離した水分が放出されて加湿される。この加湿された室内空気ＲＡは、排出空気ＥＡとなり、第１熱交換室（６９）から第３の開口（３３ｃ）を経て第１流出路（６５）を流れ、第１ファン（７９）を経て第１吹出口（２３）より室外に排出される。
【００８８】
一方、第１吸込口（１９）より流入した室外空気ＯＡは、第１流入路（６３）を流れ、第２の開口（３３ｂ）から第２熱交換室（７３）に流れる。この第２熱交換室（７３）において、室外空気ＯＡは、水分が第２熱交換器（５）の吸着剤に吸着されて除湿される。この除湿された室外空気ＯＡは、調湿空気ＳＡとなり、第２熱交換室（７３）から第８の開口（３１ｄ）を経て第２流出路（５９）を流れ、第２ファン（７７）を経て第２吹出口（２５）より室内に供給される。
【００８９】
この第１動作を行った後、第２動作を行う。
【００９０】
《第２動作》
第１ファン（７９）及び第２ファン（７７）を駆動した第２動作では、第１熱交換器（３）での吸着動作と、第２熱交換器（５）での再生動作とが行われる。つまり、第２動作では、第１熱交換器（３）に室外空気ＯＡ中の水分が吸着され、第２熱交換器（５）から脱離した水分が室内空気ＲＡに付与される。
【００９１】
図１（ｂ）及び図１８に示すように、第２動作時には、第１ダンパ（４７）と第４ダンパ（５３）と第７ダンパ（３９）と第６ダンパ（３７）とが開き、第３ダンパ（５１）と第２ダンパ（４９）と第５ダンパ（３５）と第８ダンパ（４１）とが閉じる。そして、第１熱交換器（３）に室外空気ＯＡを供給し、第２熱交換器（５）に室内空気ＲＡを供給する。
【００９２】
また、上記四路切換弁（９）は、図１（ｂ）に示す状態に切り換えられる。その結果、冷媒回路（１）では、第２熱交換器（５）が凝縮器として機能し、第１熱交換器（３）が蒸発器として機能する。
【００９３】
つまり、圧縮機（７）から吐出された高温高圧の冷媒は、加熱用の熱媒体として第２熱交換器（５）に流れる。この第２熱交換器（５）において、冷媒によってフィン（１３）及び伝熱管（１５）の外表面に担持された吸着剤が加熱される。この加熱によって吸着剤から水分が脱離して吸着剤が再生される。
【００９４】
一方、上記第２熱交換器（５）で凝縮した冷媒は、膨張弁（１１）で減圧される。減圧後の冷媒は、冷却用の熱媒体として第１熱交換器（３）に流れる。この第１熱交換器（３）において、フィン（１３）及び伝熱管（１５）の外表面に担持された吸着剤が水分を吸着する際に吸着熱が発生する。第１熱交換器（３）の冷媒は、この吸着熱を吸熱して蒸発する。蒸発した冷媒は、圧縮機（７）に戻り、冷媒はこの循環を繰り返す。
【００９５】
また、第１ファン（７９）及び第２ファン（７７）の駆動により、第２吸込口（２１）より流入した室内空気ＲＡは、第２流入路（５７）を流れ、第６の開口（３１ｂ）から第２熱交換室（７３）に流れる。この第２熱交換室（７３）において、室内空気ＲＡは、第２熱交換器（５）の吸着剤より脱離した水分が放出されて加湿される。この加湿された室内空気ＲＡは、排出空気ＥＡとなり、第２熱交換室（７３）から第４の開口（３３ｄ）を経て第１流出路（６５）を流れ、第１ファン（７９）を経て第１吹出口（２３）より室外に排出される。
【００９６】
一方、第１吸込口（１９）より流入した室外空気ＯＡは、第１流入路（６３）を流れ、第１の開口（３３ａ）から第１熱交換室（６９）に流れる。この第１熱交換室（６９）において、室外空気ＯＡは、水分が第１熱交換器（３）の吸着剤に吸着されて除湿される。この除湿された室外空気ＯＡは、調湿空気ＳＡとなり、第１熱交換室（６９）から第７の開口（３１ｃ）を経て第２流出路（５９）を流れ、第２ファン（７７）を経て第２吹出口（２５）より室内に供給される。
【００９７】
この第２動作を行った後、再び第１動作を行う。そして、この第１動作と第２動作とを繰り返して室内の除湿を連続的に行う。
【００９８】
−全換気モードの加湿運転−
上記加湿手段（８１）による全換気モードの加湿運転は、室内空気ＲＡを第１空気として取り込み室外に排出し、室外空気ＯＡを第２空気として取り込み室内に供給する運転である。
【００９９】
《第１動作》
第１ファン（７９）及び第２ファン（７７）を駆動した第１動作では、第２熱交換器（５）での吸着動作と、第１熱交換器（３）での再生動作とが行われる。つまり、第１動作では、第２熱交換器（５）に室内空気ＲＡ中の水分が吸着され、第１熱交換器（３）から脱離した水分が室外空気ＯＡに付与される。
【０１００】
図１（ａ）及び図１９に示すように、第１動作時には、第１ダンパ（４７）と第４ダンパ（５３）と第７ダンパ（３９）と第６ダンパ（３７）とが開き、第３ダンパ（５１）と第２ダンパ（４９）と第５ダンパ（３５）と第８ダンパ（４１）とが閉じる。そして、第１熱交換器（３）に室外空気ＯＡを供給し、第２熱交換器（５）に室内空気ＲＡを供給する。
【０１０１】
また、四路切換弁（９）は、図１（ａ）に示す状態に切り換えられる。その結果、冷媒回路（１）の第１熱交換器（３）が凝縮器として機能し、第２熱交換器（５）が蒸発器として機能する。
【０１０２】
つまり、圧縮機（７）から吐出された高温高圧の冷媒は、加熱用の熱媒体として第１熱交換器（３）に流れる。この第１熱交換器（３）において、冷媒によってフィン（１３）及び伝熱管（１５）の外表面に担持された吸着剤が加熱される。この加熱によって吸着剤から水分が脱離して吸着剤が再生される。
【０１０３】
一方、上記第１熱交換器（３）で凝縮した冷媒は、膨張弁（１１）で減圧される。減圧後の冷媒は、冷却用の熱媒体として第２熱交換器（５）に流れる。この第２熱交換器（５）において、フィン（１３）及び伝熱管（１５）の外表面に担持された吸着剤が水分を吸着する際に吸着熱が発生する。第２熱交換器（５）の冷媒は、この吸着熱を吸熱して蒸発する。蒸発した冷媒は、圧縮機（７）に戻り、冷媒はこの循環を繰り返す。
【０１０４】
また、第１ファン（７９）及び第２ファン（７７）の駆動により、第２吸込口（２１）より流入した室内空気ＲＡは、第２流入路（５７）を流れ、第６の開口（３１ｂ）から第２熱交換室（７３）に流れる。この第２熱交換室（７３）において、室内空気ＲＡは、水分が第２熱交換器（５）の吸着剤に吸着されて除湿される。この除湿された室内空気ＲＡは、排出空気ＥＡとなり、第２熱交換室（７３）から第４の開口（３３ｄ）を経て第１流出路（６５）を流れ、第１ファン（７９）を経て第１吹出口（２３）より室外に排出される。
【０１０５】
一方、第１吸込口（１９）より流入した室外空気ＯＡは、第１流入路（６３）を流れ、第１の開口（３３ａ）から第１熱交換室（６９）に流れる。この第１熱交換室（６９）において、第１熱交換器（３）の吸着剤より脱離した水分が放出されて加湿される。この加湿された室外空気ＯＡは、調湿空気ＳＡとなり、第１熱交換室（６９）から第７の開口（３１ｃ）を経て第２流出路（５９）を流れ、第２ファン（７７）を経て第２吹出口（２５）より室内に供給される。
【０１０６】
この第１動作を行った後、第２動作を行う。
【０１０７】
《第２動作》
第１ファン（７９）及び第２ファン（７７）を駆動した第２動作では、第１熱交換器（３）での吸着動作と、第２熱交換器（５）での再生動作とが行われる。つまり、第２動作では、第１熱交換器（３）に室内空気ＲＡ中の水分が吸着され、第２熱交換器（５）から脱離した水分が室外空気ＯＡに付与される。
【０１０８】
図１（ｂ）及び図２０に示すように、第２動作時には、第２ダンパ（４９）と第３ダンパ（５１）と第８ダンパ（４１）と第５ダンパ（３５）とが開き、第４ダンパ（５３）と第１ダンパ（４７）と第６ダンパ（３７）と第７ダンパ（３９）とが閉じる。そして、第１熱交換器（３）に室内空気ＲＡを供給し、第２熱交換器（５）に室外空気ＯＡを供給する。
【０１０９】
また、上記四路切換弁（９）は、図１（ｂ）に示す状態に切り換えられる。その結果、冷媒回路（１）では、第２熱交換器（５）が凝縮器として機能し、第１熱交換器（３）が蒸発器として機能する。
【０１１０】
つまり、圧縮機（７）から吐出された高温高圧の冷媒は、加熱用の熱媒体として第２熱交換器（５）に流れる。この第２熱交換器（５）において、冷媒によってフィン（１３）及び伝熱管（１５）の外表面に担持された吸着剤が加熱される。この加熱によって吸着剤から水分が脱離して吸着剤が再生される。
【０１１１】
一方、上記第２熱交換器（５）で凝縮した冷媒は、膨張弁（１１）で減圧される。減圧後の冷媒は、冷却用の熱媒体として第１熱交換器（３）に流れる。この第１熱交換器（３）において、フィン（１３）及び伝熱管（１５）の外表面に担持された吸着剤が水分を吸着する際に吸着熱が発生する。第１熱交換器（３）の冷媒は、この吸着熱を吸熱して蒸発する。蒸発した冷媒は、圧縮機（７）に戻り、冷媒はこの循環を繰り返す。
【０１１２】
また、第１ファン（７９）及び第２ファン（７７）の駆動により、第２吸込口（２１）より流入した室内空気ＲＡは、第２流入路（５７）を流れ、第５の開口（３１ａ）から第１熱交換室（６９）に流れる。この第１熱交換室（６９）において、室内空気ＲＡは、水分が第１熱交換器（３）の吸着剤に吸着されて除湿される。この除湿された室内空気ＲＡは、排出空気ＥＡとなり、第１熱交換室（６９）から第３の開口（３３ｃ）を経て第１流出路（６５）を流れ、第１ファン（７９）を経て第１吹出口（２３）より室外に排出される。
【０１１３】
一方、第１吸込口（１９）より流入した室外空気ＯＡは、第１流入路（６３）を流れ、第２の開口（３３ｂ）から第２熱交換室（７３）に流れる。この第２熱交換室（７３）において、第２熱交換器（５）の吸着剤より脱離した水分が放出されて加湿される。この加湿された室外空気ＯＡは、調湿空気ＳＡとなり、第２熱交換室（７３）から第８の開口（３１ｄ）を経て第２流出路（５９）を流れ、第２ファン（７７）を経て第２吹出口（２５）より室内に供給される。
【０１１４】
この第２動作を行った後、再び第１動作を行う。そして、この第１動作と第２動作とを繰り返して室内の加湿を連続的に行う。
【０１１５】
−循環モードの除湿運転−
上記除湿手段（８０）による循環モードの除湿運転は、室内空気ＲＡを第１空気として取り込み室内に供給する一方、室外空気ＯＡを第２空気として取り込み室外に排出する運転である。尚、冷媒回路の冷媒循環は、全換気モードと同じであるので、説明を省略する。
【０１１６】
《第１動作》
第１動作では、第２熱交換器（５）での吸着動作と、第１熱交換器（３）での再生（脱離）動作とが行われる。つまり、第１動作では、第２熱交換器（５）に室内空気ＲＡ中の水分が吸着され、第１熱交換器（３）から脱離した水分が室外空気ＯＡに付与される。
【０１１７】
この第１動作時には、第１ダンパ（４７）と第３ダンパ（５１）と第６ダンパ（３７）と第８ダンパ（４１）とが開き、第２ダンパ（４９）と第４ダンパ（５３）と第５ダンパ（３５）と第７ダンパ（３９）とが閉じる。そして、第１熱交換器（３）に室外空気ＯＡを供給し、第２熱交換器（５）に室内空気ＲＡを供給する。
【０１１８】
第１吸込口（１９）より流入した室外空気ＯＡは、第１流入路（６３）を流れ、第１の開口（３３ａ）から第１熱交換室（６９）に流れる。この第１熱交換室（６９）において、室外空気ＯＡは、第１熱交換器（３）の吸着剤より脱離した水分が放出されて加湿される。この加湿された室外空気ＯＡは、排出空気ＥＡとなり、第１熱交換室（６９）から第３の開口（３３ｃ）を経て第１流出路（６５）を流れ、第１ファン（７９）を経て第１吹出口（２３）より室外に排出される。
【０１１９】
一方、第２吸込口（２１）より流入した室内空気ＲＡは、第２流入路（５７）を流れ、第６の開口（３１ｂ）から第２熱交換室（７３）に流れる。この第２熱交換室（７３）において、室内空気ＲＡは、水分が第２熱交換器（５）の吸着剤に吸着されて除湿される。この除湿された室内空気ＲＡは、調湿空気ＳＡとなり、第２熱交換室（７３）から第８の開口（３１ｄ）を経て第２流出路（５９）を流れ、第２ファン（７７）を経て第２吹出口（２５）より室内に供給される。
【０１２０】
この第１動作を行った後、第２動作を行う。
【０１２１】
《第２動作》
第２動作では、第１熱交換器（３）での吸着動作と、第２熱交換器（５）での再生動作とが行われる。つまり、第２動作では、第１熱交換器（３）に室内空気ＲＡ中の水分が吸着され、第２熱交換器（５）から脱離した水分が室外空気ＯＡに付与される。
【０１２２】
この第２動作時には、第２ダンパ（４９）と第４ダンパ（５３）と第５ダンパ（３５）と第７ダンパ（３９）とが開き、第１ダンパ（４７）と第３ダンパ（５１）と第６ダンパ（３７）と第８ダンパ（４１）とが閉じる。そして、第１熱交換器（３）に室内空気ＲＡを供給し、第２熱交換器（５）に室外空気ＯＡを供給する。
【０１２３】
第１吸込口（１９）より流入した室外空気ＯＡは、第１流入路（６３）を流れ、第２の開口（３３ｂ）から第２熱交換室（７３）に流れる。この第２熱交換室（７３）において、室外空気ＯＡは、第２熱交換器（５）の吸着剤より脱離した水分が放出されて加湿される。この加湿された室外空気ＯＡは、排出空気ＥＡとなり、第２熱交換室（７３）から第４の開口（３３ｄ）を経て第１流出路（６５）を流れ、第１ファン（７９）を経て第１吹出口（２３）より室外に排出される。
【０１２４】
一方、第２吸込口（２１）より流入した室内空気ＲＡは、第２流入路（５７）を流れ、第５の開口（３１ａ）から第１熱交換室（６９）に流れる。この第１熱交換室（６９）において、室内空気ＲＡは、水分が第１熱交換器（３）の吸着剤に吸着されて除湿される。この除湿された室内空気ＲＡは、調湿空気ＳＡとなり、第１熱交換室（６９）から第７の開口（３１ｃ）を経て第２流出路（５９）を流れ、第２ファン（７７）を経て第２吹出口（２５）より室内に供給される。
【０１２５】
この第２動作を行った後、再び第１動作を行う。そして、この第１動作と第２動作とを繰り返して室内の除湿を連続的に行う。
【０１２６】
−循環モードの加湿運転−
上記加湿手段（８１）による循環モードの加湿運転は、室外空気ＯＡを第１空気として取り込み室外に排出し、室内空気ＲＡを第２空気として取り込み室内に供給する運転である。尚、冷媒回路の冷媒循環は、全換気モードと同じであるので、説明を省略する。
【０１２７】
《第１動作》
第１動作では、第２熱交換器（５）での吸着動作と、第１熱交換器（３）での再生動作とが行われる。つまり、第１動作では、第２熱交換器（５）に室外空気ＯＡ中の水分が吸着され、第１熱交換器（３）から脱離した水分が室内空気ＲＡに付与される。
【０１２８】
この第１動作時には、第２ダンパ（４９）と第４ダンパ（５３）と第５ダンパ（３５）と第７ダンパ（３９）とが開き、第１ダンパ（４７）と第３ダンパ（５１）と第６ダンパ（３７）と第８ダンパ（４１）とが閉じる。そして、第１熱交換器（３）に室内空気ＲＡを供給し、第２熱交換器（５）に室外空気ＯＡを供給する。
【０１２９】
第２吸込口（２１）より流入した室内空気ＲＡは、第２流入路（５７）を流れ、第５の開口（３１ａ）から第１熱交換室（６９）に流れる。この第１熱交換室（６９）において、室内空気ＲＡは、第１熱交換器（３）の吸着剤より脱離した水分が放出されて加湿される。この加湿された室内空気ＲＡは、第１熱交換室（６９）から第７の開口（３１ｃ）を経て第２流出路（５９）を流れ、第２ファン（７７）を経て第２吹出口（２５）より室内に供給される。
【０１３０】
一方、第１吸込口（１９）より流入した室外空気ＯＡは、第１流入路（６３）を流れ、第２の開口（３３ｂ）から第２熱交換室（７３）に流れる。この第２熱交換室（７３）において、室外空気ＯＡは、水分が第２熱交換器（５）の吸着剤に吸着されて除湿される。この除湿された室外空気ＯＡは、排出空気ＥＡとなり、第２熱交換室（７３）から第４の開口（３３ｄ）を経て第１流出路（６５）を流れ、第１ファン（７９）を経て第１吹出口（２３）より室外に排出される。
【０１３１】
この第１動作を行った後、第２動作を行う。
【０１３２】
《第２動作》
第２動作では、第１熱交換器（３）での吸着動作と、第２熱交換器（５）での再生動作とが行われる。つまり、第２動作では、第１熱交換器（３）に室外空気ＯＡ中の水分が吸着され、第２熱交換器（５）から脱離した水分が室内空気ＲＡに付与される。
【０１３３】
この第２動作時には、第１ダンパ（４７）と第３ダンパ（５１）と第６ダンパ（３７）と第８ダンパ（４１）とが開き、第２ダンパ（４９）と第４ダンパ（５３）と第５ダンパ（３５）と第７ダンパ（３９）とが閉じる。そして、第２熱交換器（５）に室内空気ＲＡを供給し、第１熱交換器（３）に室外空気ＯＡを供給する。
【０１３４】
第２吸込口（２１）より流入した室内空気ＲＡは、第２流入路（５７）を流れ、第６の開口（３１ｂ）から第２熱交換室（７３）に流れる。この第２熱交換室（７３）において、室内空気ＲＡは、第２熱交換器（５）の吸着剤より脱離した水分が放出されて加湿される。この加湿された室内空気ＲＡは、調湿空気ＳＡとなり、第２熱交換室（７３）から第８の開口（３１ｄ）を経て第２流出路（５９）を流れ、第２ファン（７７）を経て第２吹出口（２５）より室内に供給される。
【０１３５】
一方、第１吸込口（１９）より流入した室外空気ＯＡは、第１流入路（６３）を流れ、第１の開口（３３ａ）から第１熱交換室（６９）に流れる。この第１熱交換室（６９）において、室外空気ＯＡは、水分が第２熱交換器（５）の吸着剤に吸着されて除湿される。この除湿された室外空気ＯＡは、排出空気ＥＡとなり、第１熱交換室（６９）から第３の開口（３３ｃ）を経て第１流出路（６５）を流れ、第１ファン（７９）を経て第１吹出口（２３）より室外に排出される。
【０１３６】
この第２動作を行った後、再び第１動作を行う。そして、この第１動作と第２動作とを繰り返して室内の加湿を連続的に行う。
【０１３７】
〈性能比較〉
図２１は、本実施形態に係る調湿装置を用いて除湿運転を行った場合と従来の調湿装置を用いて除湿運転を行った場合とを示す空気線図である。尚、本実施形態に係る調湿装置と従来の調湿装置はともに、１時間あたり１５０ｍ３程度の空気の除湿を行うことのできる装置である。
【０１３８】
図２２は、本実施形態に係る調湿装置を用いて除湿運転を行った場合と従来の調湿装置を用いて除湿運転を行った場合とのデータを示している。このデータは、室外空気ＯＡの入口温度等である。尚、図２２に記載された「▲１▼」「▲２▼」等は、図２１に記載された「▲１▼」「▲２▼」等に対応する。
【０１３９】
図２１及び図２２から明らかなように、本実施形態に係る調湿装置の除湿量は、従来の調湿装置の除湿量より多い。具体的には、本実施形態に係る調湿装置の除湿量は、従来の調湿装置の除湿量の２倍以上となる。
【０１４０】
〈実施形態１の効果〉
以上により、本実施形態によれば、フィン（１３）及び伝熱管（１５）の外表面に吸着剤担持層（１８）が形成されているため、吸着剤担持層（１８）のゼオライト（１８ａ）で空気中の水分を吸着することができる。したがって、本実施形態によれば、メッシュ容器を設けることなく、空気の除湿を行うことができ、調湿装置の構造の単純化及びコンパクト化を図ることができる。
【０１４１】
また、フィン（１３）及び伝熱管（１５）の外表面の少なくとも一方に吸着剤担持層（１８）が形成されているため、吸着剤をフィン（１３）及び伝熱管（１５）に単に接触させているだけではない。したがって、本実施形態によれば、接触熱抵抗が小さくなり、省エネ運転が可能になる。
【０１４２】
また、金属酸化物層が多孔質であるため、金属酸化物層の表面積を増大させることができる。したがって、本実施形態によれば、フィン（１３）及び伝熱管（１５）の表面積を増大させることができる。
【０１４３】
また、金属酸化物層が多孔質であるため、プライマー溶液の金属酸化物層に対する濡れ性を向上させることができる。
【０１４４】
また、プライマー層（１６）の表面が多孔質であるため、プライマー層（１６）の表面積を増大させることができる。
【０１４５】
また、プライマー層（１６）に微粒アルミナが含まれているため、プライマー層（１６）の表面の多孔質化を実現することができるとともに、プライマー層（１６）の表面を多孔質の状態に保つことができる。
【０１４６】
また、プライマー層（１６）の表面が多孔質であるため、吸着剤分散溶液のプライマー層（１６）に対する濡れ性を向上させることができる。
【０１４７】
また、微粒子が微粒アルミナによって構成されるとともに、微粒子バインダーがリチウムシリケートによって構成されているため、質の高いプライマー層（１６）を提供することができる（図７参照）。
【０１４８】
また、吸着剤担持層（１８）が多孔質であるため、吸着剤担持層（１８）の表面積を増大させることができる。したがって、本実施形態によれば、吸着面積を増大させることができる。
【０１４９】
なお、本実施形態では、第１及び第２熱交換器（３，５）は、それぞれクロスフィン式のフィン・アンド・チューブ型熱交換器により構成されているが、これに限らず、上記の熱交換器以外の熱交換器、例えば、コルゲートフィン式の熱交換器等であってもよい。
【０１５０】
また、本実施形態では、第１及び第２熱交換器（３，５）のフィン（１３）及び伝熱管（１５）の外表面に吸着剤が担持されているが、フィン（１３）及び伝熱管（１５）の少なくとも一方の外表面に吸着剤が担持されていればよい。このとき、例えば、組み立て前のフィン（１３）に対して表面処理、プライマー処理、及び担持処理が行われる。
【０１５１】
また、本実施形態では、冷媒回路（１）に充填された冷媒を用いて第１及び第２熱交換器（３，５）のフィン（１３）及び伝熱管（１５）に担持された吸着剤の冷却又は加熱を行っているが、伝熱管（１５）に冷水又は温水を流すことにより吸着剤の冷却又は加熱を行ってもよい。このとき、調湿装置には、伝熱管（１５）を流れる水を冷水及び温水に切換自在に構成された装置が設けられている。
【０１５２】
また、本実施形態では、表面処理を第１及び第２熱交換器（３，５）を高温で加熱することにより行っているが、表面処理をエッチング、あるいは、陽極酸化により行ってもよい。表面処理をエッチング、あるいは、陽極酸化により行ったときも、フィン（１３）及び伝熱管（１５）の外表面に付着した油脂等の有機物が除去され、フィン（１３）及び伝熱管（１５）の外表面に金属酸化物層が形成される。
【０１５３】
また、本実施形態では、微粒子として微粒アルミナが用いられいるが、プライマー層（１６）の表面を多孔質の状態に保つことができる限り、如何なる微粒子が用いられてもよい。さらに、吸着剤としてゼオライト（１８ａ）が用いられているが、これに限らず、シリカゲル、活性炭、親水性又は吸水性を有する有機高分子ポリマー系材料、カルボン酸基・スルホン酸基等を有するイオン交換樹脂系材料、感温性高分子等の機能性高分子材料等が用いられてもよい。
【０１５４】
【発明の効果】
請求項１の発明によれば、伝熱管及びフィンの外表面の少なくとも一方に吸着剤担持層が形成されているため、吸着剤担持層中の吸着剤で空気中の水分を吸着することができる。したがって、メッシュ容器を設けることなく、空気の除湿を行うことができ、調湿装置の構造の単純化及びコンパクト化を図ることができる。
【０１５５】
また、伝熱管及びフィンの外表面の少なくとも一方に吸着剤担持層が形成されているため、吸着剤を伝熱管及びフィンに単に接触させているだけではない。したがって、接触熱抵抗が小さくなり、省エネ運転が可能になる。
【０１５６】
請求項２の発明によれば、酸化物層が多孔質であるため、酸化物層の表面積を増大させることができる。したがって、伝熱管及びフィンの表面積を増大させることができる。
【０１５７】
また、浸漬コーティングによりプライマー層を形成する場合、酸化物層の表面が多孔質であるため、プライマー層を形成するときに用いられるプライマー溶液の酸化物層に対する濡れ性を向上させることができる。
【０１５８】
請求項３の発明によれば、プライマー層が多孔質であるため、プライマー層の表面積を増大させることができる。
【０１５９】
また、浸漬コーティングにより吸着剤担持層を形成する場合、プライマー層の表面が多孔質であるため、吸着剤担持層を形成するときに用いられる吸着剤分散溶液のプライマー層に対する濡れ性を向上させることができる。
【０１６０】
請求項４の発明によれば、プライマー層に微粒子が含まれているため、プライマー層の表面の多孔質化を実現することができるとともに、プライマー層の表面を多孔質の状態に保つことができる。したがって、プライマー層の表面積を増大させることができる。
【０１６１】
請求項５の発明によれば、微粒子が微粒アルミナによって構成されるとともに、微粒子バインダーがリチウムシリケートによって構成されているため、質の高いプライマー層を提供することができる。
【０１６２】
請求項６の発明によれば、吸着剤担持層が多孔質であるため、吸着剤担持層の表面積を増大させることができる。したがって、吸着面積を増大させることができる。
【図面の簡単な説明】
【図１】実施形態に係る調湿装置の構成を示す系統図である。
【図２】実施形態に係る熱交換器の斜視図である。
【図３】実施形態に係るフィンの外表面付近の拡大図である。
【図４】実施形態に係るフィンの外表面付近の拡大図である。
【図５】実施形態に係るフィンの外表面付近の拡大図である。
【図６】実施形態に係るフィンの外表面付近の拡大図である。
【図７】プライマー溶液のスクリーニング評価の結果を示した図である。
【図８】上面板を省略したケーシングの平面図である。
【図９】図８のＡ−Ａ線におけるケーシングの端面図である。
【図１０】図８のＢ−Ｂ線におけるケーシングの端面図である。
【図１１】閉状態のダンパーの側面図である。
【図１２】開状態のダンパーの側面図である。
【図１３】閉状態のダンパーの変形例の側面図である。
【図１４】開状態のダンパーの変形例の側面図である。
【図１５】閉状態のダンパーの変形例の側面図である。
【図１６】開状態のダンパーの変形例の側面図である。
【図１７】除湿の第１動作を示し、上面板を省略したケーシングの平面図である。
【図１８】除湿の第２動作を示し、上面板を省略したケーシングの平面図である。
【図１９】加湿の第１動作を示し、上面板を省略したケーシングの平面図である。
【図２０】加湿の第２動作を示し、上面板を省略したケーシングの平面図である。
【図２１】本実施形態と従来の調湿装置との除湿運転時の空気状態を示した空気線図である。
【図２２】本実施形態と従来の調湿装置との除湿運転時のデータを示した図である。
【符号の説明】
１          冷媒回路
３          第１熱交換器（第１の熱交換器）
５          第２熱交換器（第２の熱交換器）
７          圧縮機
９          四路切換弁
１１        膨張弁（膨張機構）
１３        フィン
１５        伝熱管
１６        プライマー層
１８        吸着剤担持層
【図１】
2004271068.tif 000003
【図２】
2004271068.tif 000004
【図３】
2004271068.tif 000005
【図４】
2004271068.tif 000006
【図５】
2004271068.tif 000007
【図６】
2004271068.tif 000008
【図７】
2004271068.tif 000009
【図８】
2004271068.tif 000010
【図９】
2004271068.tif 000011
【図１０】
2004271068.tif 000012
【図１１】
2004271068.tif 000013
【図１２】
2004271068.tif 000014
【図１３】
2004271068.tif 000015
【図１４】
2004271068.tif 000016
【図１５】
2004271068.tif 000017
【図１６】
2004271068.tif 000018
【図１７】
2004271068.tif 000019
【図１８】
2004271068.tif 000020
【図１９】
2004271068.tif 000021
【図２０】
2004271068.tif 000022
【図２１】
2004271068.tif 000023
【図２２】
2004271068.tif 000024